(57)【要約】【課題】簡易な構造で低温室の天井及び内壁の結露を抑制できる低温倉庫を提供する。【解決手段】開閉可能な入出荷口１２Ａを備えた低温室１２と、低温室１２の室内を冷却する冷却手段１４と、低温室１２の天井１２Ｂの下方に設けられ、入出荷口１２Ａから低温室１２の奥側へ向かって下方に傾斜した傾斜板１８と、傾斜板１８の下端部に設けられ、傾斜板１８を流下した結露水を低温室１２の室外へ排水する結露水排水部２６と、を有する。【選択図】図４
2015014445.tif 000002
【特許請求の範囲】
【請求項１】
開閉可能な入出荷口を備えた低温室と、
前記低温室の室内を冷却する冷却手段と、
前記低温室の天井の下方に設けられ、前記入出荷口から前記低温室の奥側へ向かって下方に傾斜した傾斜板と、
前記傾斜板の下端部に設けられ、前記傾斜板を流下した結露水を前記低温室の室外へ排水する結露水排水部と、
を有する低温倉庫。
【請求項２】
前記冷却手段は、前記傾斜板の上面へ冷風を吹き付ける送風装置である請求項１に記載の低温倉庫。
【請求項３】
前記低温室へ乾燥空気を給気して前記低温室の室内を陽圧にする給気手段を備えた請求項１又は２に記載の低温倉庫。
【発明の詳細な説明】
【技術分野】
【０００１】
本発明は、低温で物品を保管する低温倉庫に関する。
【背景技術】
【０００２】
外気より室温が低い荷捌室（低温室）を備えた低温倉庫として、トラックが接車されるドックシェルターと荷捌室との間に除湿室を備えた低温倉庫が開示されている（例えば、特許文献１）。
【先行技術文献】
【特許文献】
【０００３】
【特許文献１】特開２００２−３０３４７７
【発明の概要】
【発明が解決しようとする課題】
【０００４】
上記特許文献１の発明では、ドックシェルターから除湿室へ流入した外気をユニットクーラーで吸気して冷却し、除湿室へ吐出することで荷捌室の結露を抑制している。しかしながら、除湿室のスペース分だけ荷捌室が狭くなり、作業環境が悪化する虞がある。また、除湿のための設備が大掛かりとなり、設備費用やランニングコストを低減するのが困難となっている。
【０００５】
本発明は上記事実を考慮し、簡易な構造で低温室の天井及び内壁の結露を抑制できる低温倉庫を提供することを目的とする。
【課題を解決するための手段】
【０００６】
請求項１に記載の低温倉庫は、開閉可能な入出荷口を備えた低温室と、前記低温室の室内を冷却する冷却手段と、前記低温室の天井の下方に設けられ、前記入出荷口から前記低温室の奥側へ向かって下方に傾斜した傾斜板と、前記傾斜板の下端部に設けられ、前記傾斜板を流下した結露水を前記低温室の室外へ排水する結露水排水部と、を有する。
【０００７】
請求項１に記載の低温倉庫によれば、低温室には開閉可能な入出荷口が設けられており、この入出荷口を開放して低温室内へ荷物を搬入・搬出できる。また、低温室の室内は、冷却手段で冷却されて低温に維持されており、外気より温度が低くなっている。
【０００８】
ここで、低温室の天井の下方には、入出荷口から低温室の奥側へ向かって下方に傾斜した傾斜板が設けられている。これにより、入出荷口から低温室内へ外気が流入すると、温度が高い外気は重力差により上昇し、傾斜板に遮られて傾斜板の下に滞留する。そして、傾斜板は外気より温度が低いので、外気と接触した傾斜板の下面が結露する。傾斜板の下面に付着した結露水は、傾斜板の下面を流下して結露水排水部へ到達し、結露排水部によって低温室外へ排水される。このようにして、湿気のある外気を積極的に結露させて結露水を低温室外へ排水することで、低温室の天井及び内壁が結露するのを抑制できる。
【０００９】
また、傾斜板は、入出荷口から低温室の奥側へ向かって下方に傾斜しているので、入出荷口から流入した外気が低温室の奥側へ進入するのを抑制できる。さらに、傾斜板を結露させることで外気の除湿を行うため、除湿室を設けてユニットクーラー等で外気を冷却する方法のように電力を必要とせず、省エネルギー化を図ることができる。
【００１０】
請求項２に記載の低温倉庫は、請求項１に記載の低温倉庫であって、前記冷却手段は、前記傾斜板の上面へ冷風を吹き付ける送風装置である。
【００１１】
請求項２に記載の低温倉庫によれば、送風装置から傾斜板へ冷風を吹き付けることで、傾斜板を効率よく露点に近い温度まで下げることができる。また、荷捌を行う作業者へ直接冷風を吹き付ける場合と比較して、作業員のドラフトを軽減できる。
【００１２】
請求項３に記載の低温倉庫は、請求項１又は２に記載の低温倉庫であって、前記低温室へ乾燥空気を給気して前記低温室の室内を陽圧にする給気手段を備えている。
【００１３】
請求項３に記載の低温倉庫によれば、低温室内を陽圧にすることで、外気が低温室へ流入するのを抑制できる。また、乾燥空気によって低温室の湿度を低下させているため、低温室の天井や内壁が結露するのを抑制できる。
【発明の効果】
【００１４】
本発明の低温倉庫は上記構成としたので、簡易な構造で低温室の天井及び内壁の結露を抑制できる。
【図面の簡単な説明】
【００１５】
【図１】本発明の実施形態に係る低温倉庫の側断面図である。
【図２】本発明の実施形態に係る低温倉庫のシャッターが開いた直後の状態を示す側断面図である。
【図３】外気が結露誘発シェルへ流入した状態を示す側断面図である。
【図４】除湿された外気が低温倉庫の外へ押し出される状態を示す側断面図である。
【発明を実施するための形態】
【００１６】
図を参照しながら、本発明の実施形態に係る低温倉庫１０について説明する。図１に示すように、本実施形態に係る低温倉庫１０は、主として、荷捌室（低温室）１２、ユニットクーラー１４、空調ダクト１６、及び結露誘発シェル１８を備えている。荷捌室１２は、トラックで搬送された食品等の荷物の仕分けを行う部屋であり、冷蔵庫あるいは冷凍庫に隣接して設けられており、所定の温度に維持されている。また、荷捌室１２を含む各低温室の壁面、天井、及び床面には、スタイロフォーム（登録商標）等の断熱材が配設されており、各低温室間を断熱している。
【００１７】
荷捌室１２で仕分けられた荷物は、所定の保冷温度に維持された冷蔵庫あるいは冷凍庫へ運ばれて出荷までの間保管される。また、出荷時には、冷蔵庫あるいは冷凍庫から荷捌室１２へ荷物が運ばれ、トラックへ積み込まれて出荷される。
【００１８】
低温倉庫１０の外部と隣接する壁面（図中左側の壁面）には、荷捌室１２の入出荷口１２Ａが形成されている。入出荷口１２Ａは、低温倉庫１０の壁面に沿って複数設けられており、それぞれの入出荷口１２Ａにトラックが接車できるようになっている。また、入出荷口１２Ａは、シャッター２０によって開閉可能とされている。
【００１９】
シャッター２０は、入出荷口１２Ａより一回り大きく形成された板状の部材であり、本実施形態では、一例として、レール２２に沿ってスライドするオーバースライド式のシャッター２０を用いている。また、シャッター２０は、外気を遮断できるように断熱性を備えている。
【００２０】
ここで、シャッター２０の材質について、本実施形態では、一例として、断熱性を有する硬質ウレタンフォームを基材とし、この基材の表面及び裏面に硬質樹脂の断熱材で被覆してシャッター２０を構成しているが、これに限らず、断熱性を備えていれば、シャッター２０の材質は特定しない。また、本実施形態では、オーバースライド式のシャッター２０を用いているが、これに限らず、他の構造のシャッターを用いてもよく、例えば、巻き取り式のシャッターを用いてもよい。
【００２１】
シャッター２０の外側には、入出荷口１２Ａを取り囲むようにしてドックシェルター２４が設けられている。ドックシェルター２４は、低温倉庫１０の外壁に形成されており、クッション性を有するパッド等を有している。
【００２２】
このドックシェルター２４には、トラック１００が接車され、荷物の搬入・搬出が行われる（図２参照）。このとき、入出荷口１２Ａとトラック１００との隙間がドックシェルター２４で閉塞され、外気や害虫が荷捌室１２へ侵入するのを抑制している。
【００２３】
なお、本実施形態では、ドックシェルター２４の材質として、軟質ウレタンフォームのパッドを用いているが、これに限らず、他の材質のドックシェルターを用いてもよく、例えば、軟質ポリウレタン製のドックシェルターを用いてもよい。また、本実施形態では、固定式のドックシェルターを用いているが、これに限らず、トラック１００の高さに合わせてドックシェルターの一部が移動可能に構成された可動式のドックシェルターを用いてもよい。
【００２４】
荷捌室１２の奥側の天井（図中右上）には、冷却手段としてのユニットクーラー１４が設けられている。ユニットクーラー１４は、冷却された空気を荷捌室１２の室内へ送風して荷捌室１２を所定の室温に維持する送風装置であり、本実施形態では、一例として、−３度の吹き出し温度で冷風を送風している。また、荷捌室１２の室温を０度に維持するように制御されている。
【００２５】
また、ユニットクーラー１４は、天井１２Ｂに沿って入出荷口１２Ａ側の壁面へ略水平方向に送風しており、後述する結露誘発シェル１８の上面へ冷風を吹き付けている。なお、本実施形態では、ユニットクーラー１４で荷捌室１２を０度に維持しているが、これに限らず、荷捌室１２を０度より低い室温に維持してもよく、例えば、室温を−５度に維持するようにユニットクーラー１４を制御してもよい。また、逆に、荷捌室１２を０度より高い室温に維持してもよく、例えば、室温を５度に維持するようにユニットクーラー１４を制御してもよい。
【００２６】
ユニットクーラー１４より入出荷口１２Ａ側（図中左側）には、給気手段としての空調ダクト１６が設けられている。空調ダクト１６は、図示しないデシカント空調ユニットに接続されており、このデシカント空調ユニットを通じて、除湿された乾燥空気を荷捌室１２へ給気している。ここで、荷捌室１２は、空調ダクト１６から給気された乾燥空気によって陽圧とされており、外気が荷捌室１２へ流入するのを抑制している。
【００２７】
荷捌室１２の天井１２Ｂの下方には、傾斜板としての結露誘発シェル１８が設けられている。結露誘発シェル１８は、塗装剛板で形成された庇状の板材であり、荷捌室１２の奥行方向（紙面奥行方向）を長手方向として、荷捌室１２の一端部から他端部に亘って連続して形成されている。
【００２８】
また、結露誘発シェル１８の短手方向（紙面左右方向）の一端部は、入出荷口１２Ａ側の内壁１２Ｃに支持されており、他端部は、対向する内壁１２Ｄへ向かって下方に傾斜している。なお、本実施形態では、一例として、直線状に傾斜した結露誘発シェル１８を用いているが、これに限らず、上方から下方へ湾曲した形状でもよい。
【００２９】
結露誘発シェル１８の短手方向の他端部は、下方へ延出され縦壁１８Ｂが形成されており、この縦壁１８Ｂの下端部には、結露水排水部を構成する受樋２６が縦壁１８Ｂと一体に形成されている。受樋２６は、断面略Ｕ字形状に形成されており、結露誘発シェル１８の下面１８Ａを伝って落下した結露水を集水できるように構成されている。また、受樋２６は、図中奥行方向に傾斜して図示しない排水管へ接続されており、集水した結露水を荷捌室１２の外側へ排水できるようになっている。
【００３０】
なお、本実施形態では、塗装剛板製の結露誘発シェル１８としたが、これに限らず、他の金属又は樹脂で結露誘発シェルを形成してもよい。また、本実施形態では、結露誘発シェル１８の長手方向の両端部に側壁を形成していないが、結露誘発シェル１８の両端部を下方へ屈曲させて側壁を形成してもよい。この場合、側壁を伝って落下する結露水を受けるため、側壁の下方にも受樋を配置する必要がある。
【００３１】
次に、荷捌室１２へ荷物を搬入する手順の説明を通して、本実施形態に係る結露誘発シェル１８の作用について説明する。なお、荷捌室１２から荷物を搬出する場合も同様である。また、以下の説明では、外気の温度が荷捌室１２の室温より高い場合について説明する。なお、外気の温度が荷捌室１２の室温より低い場合は、荷捌室１２へ外気が流入しても結露が発生せず、結露を抑制する対策を講じる必要がない。
【００３２】
保冷された食品等の荷物を積んだトラック１００から荷捌室１２へ荷物を搬入する場合、図２に示すように、トラック１００をドックシェルター２４に接車させる。これにより、入出荷口１２Ａとトラック１００の荷台との隙間がドックシェルター２４で閉塞され、外気及び害虫の侵入をある程度抑制できる。トラック１００を接車した後、シャッター２０を開いて入出荷口１２Ａを開放し、作業者Ｐがトラック１００の荷台から荷物を下ろす。
【００３３】
このとき、トラック１００とシャッター２０との間の空間に閉じ込められた外気が入出荷口１２Ａから荷捌室１２へ流入する。また、トラック１００と入出荷口１２Ａとの隙間をドックシェルター２４で閉塞している場合であっても、ドックシェルター２４とトラック１００との隙間から多少の外気が荷捌室１２へ流入する。ここで、荷捌室１２は、空調ダクト１６から給気された乾燥空気によって陽圧にされているので、陽圧にされていない場合と比較して、外気の流入する量を低減することができる。
【００３４】
入出荷口１２Ａから荷捌室１２へ流入した外気は、荷捌室１２の室温より温度が高いため、重力差により上昇する。上昇した外気は、結露誘発シェル１８に遮られ、結露誘発シェル１８の下に滞留する。
【００３５】
このとき、外気は結露誘発シェル１８の下面１８に接触し、この外気と結露誘発シェル１８との温度差により外気が下面１８Ａで結露する。ここで、本実施形態では、ユニットクーラー１４から結露誘発シェル１８の上面へ直接冷風を吹き付けているので、結露誘発シェル１８の温度は、荷捌室１２の室温よりも低くなっており、結露誘発シェル１８を積極的に結露させることができる。換言すれば、外気を効率よく除湿することができる。
【００３６】
また、空調ダクト１６から荷捌室１２へ給気された乾燥空気の流れを気流シミュレーションで予め計算しており、この気流シミュレーションの結果に基づいて空調ダクト１６の位置を決定している。すなわち、空調ダクト１６から給気された乾燥空気が、結露誘発シェル１８の下に滞留している外気の流れを阻害する位置に空調ダクト１６を設けており、外気が長時間滞留するように工夫されている。これにより、外気は、十分に除湿された後に結露誘発シェル１８から流出することとなる。
【００３７】
ここで、図３に示すように、結露によって結露誘発シェル１８の下面１８Ａに付着した結露水は、図中矢印で示すように、結露誘発シェル１８を上方から下方へ流下して下端部へ到達する。そして、結露誘発シェル１８の下端部に集まった結露水同士がくっついて大粒となり、結露誘発シェル１８の下方に設けられた受樋２６へ落下する。あるいは、縦壁１８Ｂを伝って受樋２６へ到達する。このようにして受樋２６で集水された結露水は、図示しない排水管を通じて荷捌室１２の外部へ排水される。
【００３８】
ここで、本実施形態では、結露誘発シェル１８を塗装剛板で形成しているため、表面が滑りやすくなっており、結露水がスムーズに結露誘発シェル１８の下端部へ流下する。また、塗装剛板は、無垢の剛板と比べて清掃性が高いので、メンテナンスを向上できる。さらに、塗装剤として防カビ効果を有する材料を塗装すれば、カビの発生を抑制できる。
【００３９】
図４に示すように、結露誘発シェル１８で除湿された外気は、結露誘発シェル１８から下方へ流出する。そして、ユニットクーラー１４から送風された冷風の気流によって入出荷口１２Ａへ運ばれ、荷捌室１２の外側へ押し出される。この間に外気が荷捌室１２の天井１２Ｂ又は内壁に接触しても、既に外気が除湿されているため、荷捌室１２の天井１２Ｂ又は内壁が結露することがない。
【００４０】
なお、結露誘発シェル１８の長さ、及び傾斜角度は、外気の流入シミュレーションの結果に基づいて設計しており、結露誘発シェル１８へ流入した外気と結露誘発シェル１８とが効果的に接触するように形成されている。このため、入出荷口１２Ａの寸法や結露誘発シェル１８の設置高さを変更した場合は、結露誘発シェル１８の長さ及び傾斜角度を再設計してもよい。
【００４１】
また、ユニットクーラー１４は、結露誘発シェル１８へ向かって略水平方向へ送風しているので、荷捌室１２で作業を行う作業者Ｐへ直接冷風が吹き付けられることがない。これにより、作業者Ｐのドラフトを軽減してストレスを感じない作業環境とすることができる。さらに、ユニットクーラー１４から送風された冷風は、天井１２Ｂに沿って流れるため、天井１２Ｂに温度の高い空気が滞留するのを抑制できる。
【００４２】
なお、本実施形態では、空調ダクト１６は、デシカント空調ユニットからの乾燥空気を荷捌室１２へ給気しているが、これに限らず、一般の空調ユニットからの空気を荷捌室１２へ給気する構成でもよい。
【００４３】
また、本実施形態では、結露誘発シェル１８は、入出荷口１２Ａが形成された壁面から対向する壁面へ向かって傾斜した平板状の部材であったが、これに限らず、他の形状でもよい。例えば、結露誘発シェル１８の長手方向の中央部に屈曲部を設けて、この屈曲部を境に両端部が下方へ屈曲するように傾斜させた形状でもよい。この場合、結露誘発シェル１８の下面１８Ａに付着した結露水は、荷捌室１２の奥側へ向かいつつ、結露誘発シェル１８の長手方向の一端側又は他端側へ向かって流下する。このため、受樋２６を結露誘発シェル１８の長手方向の両端部にも別途設ける必要がある。
【００４４】
以上、本発明の実施形態について説明したが、本発明はこうした実施形態に何等限定されるものでなく、本発明の要旨を逸脱しない範囲において、種々なる態様で実施し得ることは勿論である。例えば、結露誘発シェル１８の近傍に、結露誘発シェル１８の冷却専用の冷却手段を別途設けてもよい。
【符号の説明】
【００４５】
１０    低温倉庫
１２    荷捌室（低温室）
１２Ａ  入出荷口
１４    ユニットクーラー（冷却手段、送風装置）
１６    空調ダクト（給気手段）
１８    結露誘発シェル（傾斜板）
２６    受樋（結露水排水部）
【図１】
2015014445.tif 000003
【図２】
2015014445.tif 000004
【図３】
2015014445.tif 000005
【図４】
2015014445.tif 000006